(57)【要約】【課題】  本発明の目的は、表示対象の端が表示されており、さらに端の方向へと移動できないことをユーザに明確に知らせることである。【解決手段】  表示対象を表示部に表示するように制御する表示制御手段と、前記表示対象をスクロールするスクロール指示を受付ける受付手段と、前記表示対象のうち、前記表示部の所定の領域に前記表示対象の端が表示されていない際に、前記受付手段が前記スクロール指示を受付けたことに応じて前記表示対象をスクロールし、前記スクロール指示が終了する前に前記所定の領域に前記表示対象の端が表示されるとスクロールを停止し、前記表示対象を前記スクロール指示に応じて暗くするように制御する制御手段とを有することを特徴とする。【選択図】  図３
2018032075.tif 000002
【特許請求の範囲】
【請求項１】
表示対象を表示部に表示するように制御する表示制御手段と、
前記表示対象をスクロールするスクロール指示を受付ける受付手段と、
前記表示対象のうち、前記表示部の所定の領域に前記表示対象の端が表示されていない際に、前記受付手段が前記スクロール指示を受付けたことに応じて前記表示対象をスクロールし、
前記スクロール指示が終了する前に前記所定の領域に前記表示対象の端が表示されるとスクロールを停止し、前記表示対象を前記スクロール指示に応じて暗くするように制御する制御手段とを有することを特徴とする表示制御装置。
【請求項２】
前記制御手段は、前記スクロール指示が終了する前に前記所定の領域に前記表示対象の端が表示されると前記表示対象のスクロールを停止し、前記表示対象の視認性が黒色に近づくように制御することを特徴とする請求項１に記載の表示制御装置。
【請求項３】
前記制御手段は、前記所定の領域に前記表示対象の端が表示された後に行われた前記スクロール指示の量に応じて前記表示対象を暗くするように制御することを特徴とする請求項１または２に記載の表示制御装置。
【請求項４】
前記制御手段は、前記表示対象が暗くなった後、前記スクロール指示が終了したことに応じて、前記表示対象を徐々に明るくするように制御することを特徴とする請求項１乃至３のいずれか１項に記載の表示制御装置。
【請求項５】
前記表示部へのタッチ操作を検出可能なタッチ検出手段をさらに有し、
前記スクロール指示は、タッチ位置の移動する動作であり、
前記制御手段は、タッチ位置を移動した方向に応じた方向へ前記表示対象をスクロールするように制御することを特徴とする請求項１乃至４のいずれか１項に記載の表示制御装置。
【請求項６】
前記スクロール指示の終了は、タッチ位置を離す操作であることを特徴とする請求項５に記載の表示制御装置。
【請求項７】
前記制御手段は、前記表示対象のうち、前記所定の領域に第一の方向の前記表示対象の端が表示されている際に、前記受付手段がさらに前記第一の方向へのスクロール指示を受付けたことに応じて、前記第一の方向とは反対方向である第二の方向の前記表示対象の端を表示し、前記表示対象を暗くしないようにし、
前記受付手段が前記第二の方向へのスクロール指示を受付けたことに応じて、前記第二の方向にある前記表示対象を表示するように制御することを特徴とする請求項１乃至６のいずれか１項に記載の表示制御装置。
【請求項８】
前記制御手段は、第一の方向へのスクロール指示がされ、前記所定の領域に前記表示対象の端が表示された後、さらに前記第一の方向へとスクロール指示がされたことに応じて前記表示対象の明るさが第一の明るさまで低下した後、前記第一の方向の反対方向である第二の方向へとスクロール指示がされたことに応じて、前記第二の方向へとスクロール処理をすると共に、前記第一の明るさから前記表示対象を明るくするように制御することを特徴とする請求項１乃至７のいずれか１項に記載の表示制御装置。
【請求項９】
表示対象を表示部に表示するように制御する表示制御手段と、
前記表示対象をスクロールするスクロール指示を受付ける受付手段と、
前記表示対象のうち、前記表示部の所定の領域に前記表示対象の端が表示されていない際に、前記受付手段が前記スクロール指示を受付けると、前記スクロール指示の強さが所定の大きさよりも小さい場合には、前記スクロール指示の強さに応じた分、前記表示対象をスクロールし、前記スクロール指示の強さが前記所定の大きさよりも大きい場合には、前記所定の領域に前記表示対象の端が表示されたことに応じてスクロールを停止すると共に、前記表示対象を暗くしていくように制御する制御手段とを有することを特徴とする表示制御装置。
【請求項１０】
前記制御手段は、前記スクロール指示の強さが所定の大きさよりも大きい場合には、前記所定の領域に前記表示対象の端が表示された後、前記表示対象を所定の明るさまで暗くするように制御することを特徴とする請求項９に記載の表示制御装置。
【請求項１１】
前記スクロール指示に応じて前記表示対象の端に達さない場合に前記表示対象がスクロールされた距離から、前記スクロール指示に応じて前記表示対象がスクロールされた距離を引いた距離に応じた分、前記表示対象の明るさは暗くなることを特徴とする請求項９または１０に記載の表示制御装置。
【請求項１２】
前記制御手段は、前記表示対象が暗くなった後、再び明るくするように制御することを特徴とする請求項９乃至１１のいずれか１項に記載の表示制御装置。
【請求項１３】
前記スクロール指示は、タッチの開始から一定のタッチ位置の移動を経てタッチを離す動作を所定時間内に行う操作であることを特徴とする請求項９乃至１２のいずれか１項に記載の表示制御装置。
【請求項１４】
前記スクロール指示は、ボタンまたはダイヤルへの操作であり、
前記制御手段は、押下されたボタンに対応する方向、または前記ダイヤルの回転方向に応じて、前記表示対象をスクロールするように制御することを特徴とする請求項９乃至１２のいずれか１項に記載の表示制御装置。
【請求項１５】
前記表示部において前記表示対象と重畳して配置されるガイドの透過度を変更する変更手段をさらに有し、
前記制御手段は、前記ガイドの透過度を前記スクロール指示に応じて減少することにより、前記表示対象を暗くするように制御することを特徴とする請求項１乃至１４のいずれか１項に記載の表示制御装置。
【請求項１６】
前記表示対象は、記録部に記録された複数の画像を所定の順番で並べたものであることを特徴とする請求項１乃至１５のいずれか１項に記載の表示制御装置。
【請求項１７】
前記表示対象の端は記録部に記録された複数の画像のうち端の順番の画像であることを特徴とする請求項１６に記載の表示制御装置。
【請求項１８】
前記ガイドは、グラデーション画像であることを特徴とする請求項１５に記載の表示制御装置。
【請求項１９】
前記グラデーション画像は前記表示対象のうち、前記表示部に表示されている端の方が暗くなっていることを特徴とする請求項１８に記載の表示制御装置。
【請求項２０】
表示部を有する表示制御装置の制御方法であって、
表示対象を前記表示部に表示するように制御する表示制御ステップと、
前記表示対象をスクロールするスクロール指示を受付ける受付ステップと、
前記表示対象のうち、前記表示部の所定の領域に前記表示対象の端が表示されていない際に、前記受付ステップにおいて前記スクロール指示を受付けたことに応じて前記表示対象をスクロールし、
前記スクロール指示が終了する前に前記所定の領域に前記表示対象の端が表示されるとスクロールを停止し、前記表示対象を前記スクロール指示に応じて暗くするように制御する制御ステップとを有することを特徴とする表示制御装置の制御方法。
【請求項２１】
表示部を有する表示制御装置の制御方法であって、
表示対象を前記表示部に表示するように制御する表示制御ステップと、
前記表示対象をスクロールするスクロール指示を受付ける受付ステップと、
前記表示対象のうち、前記表示部の所定の領域に前記表示対象の端が表示されていない際に、前記受付ステップにおいて前記スクロール指示を受付けると、前記スクロール指示の強さが所定の大きさよりも小さい場合には、前記スクロール指示の強さに応じた分、前記表示対象をスクロールし、前記スクロール指示の強さが前記所定の大きさよりも大きい場合には、前記スクロール指示の強さに応じた分、前記表示対象をスクロールせず、前記所定の領域に前記表示対象の端が表示されたことに応じてスクロールを停止すると共に、前記表示対象を暗くしていくように制御する制御ステップとを有することを特徴とする表示制御装置の制御方法。
【請求項２２】
コンピュータを、請求項１乃至１９のいずれか１項に記載された表示制御装置の各手段として機能させるためのプログラム。
【請求項２３】
コンピュータを、請求項１乃至１９のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置およびその制御方法に関し、特に表示対象の端を表示する技術に関する。
【背景技術】
【０００２】
従来、表示部に画像の一部の領域を表示して、ユーザの操作により表示する領域を移動しながら画像を確認する表示装置が知られている。特許文献１には、画像の端が表示された際にユーザがさらに端へと移動する指示をしたら表示していた領域を伸ばして表示することで、画像の端が表示部の端に達したことを示すことが提案されている。
【先行技術文献】
【特許文献】
【０００３】
【特許文献１】特開２０１２−１３７８２１号公報
【発明の概要】
【発明が解決しようとする課題】
【０００４】
画像の端が表示されており、さらに端の方向へと移動する指示をしてもこれ以上は移動できない場合には、ユーザに画像の端に達したことを通知すると好適である。特許文献１に記載されているように、画像の端が表示部の端に達した場合に表示領域を伸ばして表示してしまうと、ユーザは行っている操作が拡大指示等の他の指示として入力されているのか、端に達したのか分からない可能性がある。
【０００５】
本発明は、上記の課題に鑑み、表示対象の端が表示されており、さらに端の方向へと移動できないことをユーザに明確に知らせることのできる表示制御装置の提供を目的とする。
【課題を解決するための手段】
【０００６】
上記目的を達成するために、本発明の表示制御装置は、表示対象を表示部に表示するように制御する表示制御手段と、前記表示対象をスクロールするスクロール指示を受付ける受付手段と、前記表示対象のうち、前記表示部の所定の領域に前記表示対象の端が表示されていない際に、前記受付手段が前記スクロール指示を受付けたことに応じて前記表示対象をスクロールし、前記スクロール指示が終了する前に前記所定の領域に前記表示対象の端が表示されるとスクロールを停止し、前記表示対象を前記スクロール指示に応じて暗くするように制御する制御手段とを有することを特徴とする。
【発明の効果】
【０００７】
本発明によれば、表示対象の端が表示されており、さらに端の方向へと移動できないことをユーザに明確に知らせることができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】本実施形態におけるスクロール処理を示すフリーチャート
【図４】本実施形態におけるフリック処理を示すフリーチャート
【図５】本実施形態におけるタッチムーブ処理を示すフリーチャート
【図６】本実施形態における表示部の表示例を示す図
【図７】本実施形態における表示部の表示例を示す図
【図８】本実施形態の変形例の表示を示す図
【発明を実施するための形態】
【０００９】
以下、図面を参照して本発明の好適な実施形態を説明する。
図１に本発明の表示制御装置の一例としてのデジタルカメラの外観図を示す。表示部２８は画像や各種情報を表示する表示部である。表示部２８と一体となるようにタッチパネル７０ａが設けられている。シャッターボタン６１は撮影指示を行うための（押下されると第１段階で撮影指示を受付け、第２段階で撮影を実行する）操作部である。シャッターボタン６１を囲うように倍率変更レバー７５が設けられており、左右へレバーを移動させると、ＬＶ（ライブビュー）においてはズーム倍率を変更したり、再生画面においては再生倍率を変更することができる。モード切替スイッチ６０は各種モードを切り替えるための操作部である。操作部７０はユーザからの各種操作を受け付ける各種スイッチ、ボタン、タッチパネル等の操作部材より成る操作部である。ダイヤル７３は操作部７０に含まれる回転操作可能な操作部材である。ダイヤル７３の内側には十字キー７４の上下左右キー７４ａ、ｂ、ｃ、ｄがある。電源スイッチ７２は、電源オン、電源オフを切り替えるための押しボタンである。コネクタ１１２は例えばＰＣやプリンタと接続するための接続ケーブル１１１をデジタルカメラ１００に接続するためのコネクタである。記録媒体２００はメモリカードやハードディスク等の不揮発性の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けてスロット２０１から記録媒体２００の一部を取り出して露出させた状態を示している。
【００１０】
図２は、本実施形態によるデジタルカメラ１００の構成例を示すブロック図である。
【００１１】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００１２】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１４】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１５】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１６】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１７】
システムタイマー５３は各種制御に用いる時間や、内蔵された時計の時間を計測する計時部である。
【００１８】
モード切替スイッチ６０、シャッターボタン６１、操作部７０はシステム制御部５０に各種の動作指示を入力するための操作手段である。
【００１９】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００２０】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２による静止画撮像動作、撮像部２２からの信号読み出しから記録媒体２００に画像データを書き込むまでの一連の撮影処理の動作を開始する。
【００２２】
操作部７０の各操作部材は、表示部２８に表示される種々の機能ボタンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２は、ユーザからの電源のＯＮとＯＦＦの切り替え操作を受付ける操作部材である。
【００２４】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影時に画像を記録するためのメモリカード等の不揮発性の記録媒体であり、半導体メモリや光ディスク、磁気ディスク等から構成される。
【００２５】
なお操作部７０の一つとして、表示部２８に対する接触を検知可能（タッチ検出可能）なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作。あるいは状態を検出できる。
【００２６】
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
【００２７】
・タッチパネルを指やペンでタッチしている状態であること（以下、タッチオン（Ｔｏｕｃｈ−Ｏｎ）と称する）。
【００２８】
・タッチパネルを指やペンでタッチしたまま移動していること（以下、タッチムーブ（Ｔｏｕｃｈ−Ｍｏｖｅ）と称する）。
【００２９】
・タッチパネルへタッチしていた指やペンを離したこと。すなわち、タッチの終了（以下、タッチアップ（Ｔｏｕｃｈ−Ｕｐ）と称する）。
【００３０】
・タッチパネルに何もタッチしていない状態（以下、タッチオフ（Ｔｏｕｃｈ−Ｏｆｆ）と称する）。
【００３１】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３２】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。タッチの開始からタッチを離すまでの時間が０．５秒や０．３秒といった所定時間内で行うような操作をフリックという。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対して指やペンが接近していても触れないこともタッチがあったと検出する方式ものがあるが、いずれの方式でもよい。
【００３３】
本実施形態では、再生モードにおいて複数の画像を表示部２８に一度に表示し、スクロール処理を行う際の表示方法について説明をする。表示部２８の領域に表示可能な枚数は限られているので、ユーザはスクロールをすることで次々に画像をみることができる。再生モードにおいてはマルチ再生とシングル再生とがある。マルチ再生においては、記録媒体２００（記録部）に記録される複数枚の再生画像を一度に表示し、シングル再生においては１枚の再生画像を表示する。マルチ再生においてもシングル再生においても、ユーザからの指示に応じてファイルに記録されている順番に次々に表示する画像を切り替えることができる。シングル再生からマルチ再生への切り替えは、ピンチイン操作、縮小レバー（倍率変更レバー７５左回転）の操作により可能である。マルチ再生からシングル再生への切り替えは、画像へのタッチ、ＳＥＴボタンの押下、拡大レバーの操作（倍率変更レバー７５右回転）により可能である。また、シングル再生において連続的に表示画像を切り替える操作（複数回のタッチムーブを素早く行う、ダイヤル７３の連続的な回転）を行うと、スクロール再生に切り替わる。スクロール再生においては、表示部２８の中央に画像が１枚の画像が表示され、その左右に２枚や４枚の画像が表示され一列に画像が並んで表示される。
【００３４】
図３を用いて本実施形態におけるマルチ再生のスクロール処理について説明をする。
この処理は、不揮発性メモリ５６に記録されたプログラムをシステムメモリ５２に展開してシステム制御部５０が実行することで実現する。なお、この処理は、デジタルカメラ１００に電源が入り、再生モードが選択され、マルチ再生になると開始する。
【００３５】
Ｓ３０１では、システム制御部５０は、図６（ａ）に示すようなマルチ再生画面６００を表示部２８に表示する。図６（ａ）はマルチ再生画面の一例を示しており、表示部２８に３６枚分の再生画像（以下、画像とする）を表示可能であり、現在は画像１〜画像３２の３２枚の画像が表示されている様子を示している。バー６０５はマルチ再生画像のうち現在表示部２８に表示されている領域の位置がどのあたりかを示している。各画像に表示されている番号は、記録媒体２００に記録されている各画像の画像ファイルの並び順を説明のために示したものであり、本実施形態においては画像１〜画像１０２まであるものとする。画像１（先頭画像）と画像１０２（末尾画像）は画像ファイル順で端にある画像である。再生画面においては、シングル再生、マルチ再生、スクロール再生のいずれにおいても画像ファイル順に沿って画像が表示されるものとする。マルチ再生において画像の一覧を表示した状態で、表示する領域を変更するスクロールをすると画像ファイル順に沿って次々に画像が表示されるが、先頭画像と末尾画像が表示されると（つまり端）一旦そこで移動を止める。
【００３６】
Ｓ３０２では、システム制御部５０は、図６（ｄ）に示すような先頭用のガイド画像であるガイド画像６０４と、末尾用のガイド画像（不図示）を表示部に透過度Ｔ＝１００％で配置する。ガイド画像は、先頭画像や末尾画像が表示されており、これ以上スクロール処理ができないことをユーザに示すための画像である。ガイド画像は黒色のグラデーション画像であり、ガイド画像の透過度が低くなっていくと再生画像が暗くなっていき、透過度が低下するにつれ再生画像が暗くなりどんどん見えにくくなっていく。タッチムーブやフリックがされると表示される画像が流れるように次々に移動するスクロール処理が行われるが、スクロール処理の途中で端に達した場合には、続けてこれ以上スクロール処理はできない。スクロール途中に先頭画像もしくは末尾画像が表示されたら一旦そこでスクロール処理を行わないようにすると、端付近の画像を探しやすくなる。ガイド画像は、これ以上スクロール処理の指示がされても画像は移動しない、すなわち、画像一覧の端に達したことをユーザに示すための画像である。Ｓ３０２ではまだ、ユーザによるスクロール処理を指示する操作がされていないので、ガイド画像は透過度Ｔ＝１００％、つまり、ユーザからは見えない状態で最初に配置される。なお、図６（ｄ）のガイド画像６０４は先頭画像側の端に達したことを示すためのガイド画像（先頭用ガイド画像）で、表示部２８の上方向の領域ほど濃度が色の高くなり、下方向の領域ほど色の濃度が低くなるガイド画像の例を示している。末尾画像側の端に達したことを示すためのガイド画像（末尾用ガイド画像）は下方向の領域ほど色の濃度が高くなり、上方向の領域ほど色の濃度が低くなる。Ｓ３０２において透過度Ｔ＝１００％で表示するガイド画像は、先頭用ガイド画像、末尾用ガイド画像の両方でなくても、現在表示部２８に表示されているマルチ再生画像が先頭画像側に近いか、末尾画像側に近いかによっていずれかを表示してもよい。
【００３７】
Ｓ３０３では、システム制御部５０は、タッチパネル７０ａ（表示部２８）へのタッチ操作がされたか否かを判定する。タッチ操作がされたと判定した場合は、Ｓ３０４へ進み、そうでない場合は、Ｓ３０７へ進む。
【００３８】
Ｓ３０４では、システム制御部５０は、Ｓ３０３のタッチが開始された時にマルチ再生画面の端が既に表示されていたか否かを判定する。つまり、図６では先頭画像の表示されている図６（ａ）のマルチ再生画面６００の領域６０１の表示状態、もしくは末尾画像の表示されている図６（ｂ）のマルチ再生画面６００の領域６０２の表示状態のいずれかであるか、何れも表示されていないかを判定する。マルチ再生画面６００の端が表示されていない状態とは、図６（ｃ）に示すような先頭画像も末尾画像も表示されていない領域６０３のような状態を示す。マルチ再生画面の端が既に表示されていると判定した場合は、Ｓ３０５へ進み、そうでない場合は、Ｓ３０９へ進む。なお、表示部２８に表示されている画像がスクロールするほどない場合、すなわち、記録媒体２００に記録されている再生画像が全て表示部２８に表示されている場合には、スクロール処理をしない。よって、Ｓ３０４以降の処理は行わない。
【００３９】
Ｓ３０５では、システム制御部５０は、現在表示されているマルチ再生画面６００の端の位置から、さらに端の方向へのスクロール指示（フリック、タッチムーブ、上下キー７４ａ、ｂの押下、ダイヤル７３の左右回転）がされたか否かを判定する。ダイヤルの回転方向やボタンに対応する方向へスクロール指示がされる。つまり先頭画像の表示中には、さらに上の画像（Ｙ軸マイナス方向にある画像）を表示するスクロール指示がされたか、末尾画像の表示中には、さらに下の画像（Ｙ軸プラス方向にある画像）を表示するスクロール指示がされたか否かを判定する。図６（ａ）に示される指Ｕは下方向へのフリック（Ｙ軸マイナス方向の画像を表示する指示となる）の様子を示したものであり、先頭画像が表示されている状態で開始された下方向へのフリックにより、マルチ再生画面６００の他方の端へと表示が切り替わる。現在表示されている端の位置からさらに端の方向へのスクロール指示がされたと判定した場合は、Ｓ３０６へ進み、そうでない場合は、Ｓ３０９へ進む。
【００４０】
Ｓ３０６では、システム制御部５０は、Ｓ３０４において表示部２８に表示されていた方の端とは、反対の方のマルチ再生画面６００の端を表示部２８に表示をする。つまり、表示するマルチ再生画面をフォルダ順の最初（もしくは最後）の方の画像が表示される領域から最後（もしくは最初）の方の画像が表示される領域へと切り替える。図６（ａ）のように先頭画像を含むマルチ再生画面６００の領域６０１が表示されている場合に、下方向へのフリック、下方向へのタッチムーブ、上キー７４ａの押下、ダイヤル７３の左回転がされると、図６（ｂ）に示す末尾画像を含む領域６０２へと切り替わる。
【００４１】
Ｓ３０７では、システム制御部５０は、上下キー７４ａ、ｂの押下、またはダイヤル７３の左右回転のタッチ操作以外の操作でのスクロール指示がされたか否かを判定する。マルチ再生画面の端が表示されていない場合には、上下キー７４ａ、ｂの押下では１回の押下で一列、ダイヤル７３の左右回転では所定角度の回転で一列分の高さ分画像が移動する。一列とは例えば、図６（ｂ）の画像６７〜７２や、画像９７〜１０２を示す。つまり、マルチ再生画面６００の領域６０１が表示され、画像１または２にカーソルが当たっている状態でダイヤル７３の右回転または下キー７４ｂの押下がされると、マルチ再生画面６００が移動し画像１〜２が非表示になり、画像３３〜３８が新たに表示される。不図示のカーソルは現在選択されている画像を示すためのものであり、カーソルが端にない場合、端にあってもさらに端へ向けた操作でなければ、キー操作やダイヤル操作はカーソルの移動指示となり、スクロール指示とはならない。タッチ操作以外の操作でスクロール指示がされたと判定した場合は、Ｓ３１０へ進み、そうでない場合は、Ｓ３０８へ進む。
【００４２】
Ｓ３０８では、システム制御部５０は、マルチ再生のスクロール処理を終了するか否かを判定する。マルチ再生のスクロール処理は、電源のＯＦＦ、シングル再生への切り替え、撮影モードへの切り替え、メニュー画面の表示、タイムアウトによって終了する。マルチ再生のスクロール処理を終了すると判定した場合は、マルチ再生のスクロール処理を終了し、そうでない場合は、Ｓ３０３に戻りユーザからの操作を待つ。
【００４３】
Ｓ３０９では、システム制御部５０は、タッチパネル７０ａにおいて上下方向（Ｙ軸方向）の何れかの方向へのフリック操作が行われたか否かを判定する。上下方向何れかの方向へのフリック操作が行われたと判定した場合は、Ｓ３１０へ進み、そうでない場合は、Ｓ３１１へ進む。
【００４４】
Ｓ３１０では、システム制御部５０は、フリック処理を行う。フリック処理については、図４を用いて後述する。
【００４５】
Ｓ３１１では、システム制御部５０は、タッチパネル７０ａにおけるタッチ位置の座標（ｘｎ、ｙｎ）を取得し、システムメモリ５２に記録する。Ｓ３０９からＳ３１１に進んだ場合には、Ｓ３０３においてタッチ操作を開始したタッチ位置の座標、Ｓ３１３またはＳ３１４からＳ３１１に進んだ場合には、現在のタッチ位置の座標を取得する。タッチパネル７０ａの座標は、図６（ａ）に示すように、タッチパネル７０ａの左上を原点、右方向がＸ軸プラス方向、下方向がＹ軸プラス方向とする。
【００４６】
Ｓ３１２では、システム制御部５０は、上下方向（Ｙ軸方向）の何れかの方向へのタッチ位置の移動（タッチムーブ）がされたか否かを判定する。タッチ位置の移動がされたと判定した場合は、Ｓ３１３へ進み、そうでない場合は、Ｓ３１４へ進む。
【００４７】
Ｓ３１３では、システム制御部５０は、タッチムーブ処理を行う。タッチムーブ処理については、図５を用いて後述する。
【００４８】
Ｓ３１４では、システム制御部５０は、タッチパネル７０ａからタッチを離したか否かを判定する。タッチを離したと離した、すなわち行っていたタッチ操作を終了したと判定した場合は、Ｓ３１５へ進み、そうでない場合は、Ｓ３１１に進む。
【００４９】
Ｓ３１５では、システム制御部５０は、ガイド画像の透過度Ｔｎを徐々に１００％にする。ガイド画像の透過度Ｔｎは後述する図５のタッチムーブ処理において１００％未満の値になることがあるが、タッチが離されたら透過度Ｔｎを所定時間毎に所定量ずつ上げ、１００％へ戻す。例えば０．２秒毎に１０％ずつ上げる、０．０３秒毎に１％ずつ上げる等、少しずつ透過度Ｔｎを上げることで１００％にする。なお、透過度Ｔｎが１００％である場合にはＳ３１５の処理は行わない。
【００５０】
Ｓ３１６では、システム制御部５０は、端表現フラグをＯＦＦにする。端表現フラグは、後述する図５においてマルチ再生画面のスクロール中にマルチ再生画面の端が表示部２８に表示されたことを示すフラグである。端表現フラグがＯＮの場合は、このまま継続してスクロール処理を続けることができない、これ以上はスクロール指示された方向にマルチ再生画面がないことを示す。
【００５１】
次に、図４を用いてフリック処理について説明をする。この処理は、不揮発性メモリ５６に記録されたプログラムをシステムメモリ５２に展開してシステム制御部５０が実行することで実現する。なお、この処理は、図３のＳ３１０に進むと開始する。
【００５２】
Ｓ４０１では、システム制御部５０は、マルチ再生画面のスクロール処理を行う。スクロール処理とは、マルチ再生画面のうち表示部２８に表示されている領域が少しずつ移動していく、表示部２８に表示される画像が切り替わっていく処理である。本実施形態においては、上下方向にのみマルチ再生画面がスクロールする。スクロール処理では、図３のＳ３０６のように表示される画像全体が切り替わるのではなく、徐々に画像が移動する。フリックが行われた場合には、タッチが離れる直前のタッチ位置の移動速度、タッチをしていた時間によって、マルチ再生画面の移動距離が決まる。タッチ位置の移動速度が速くタッチをしている時間が短いほど、もしくはタッチパネル７０ａ上をより素早く速く弾くほど強いフリックとしてシステム制御部５０に入力され、対応するマルチ再生画面の移動距離も長くなる。フリック操作がされると、ユーザがタッチパネル７０ａからタッチを離した後にユーザが操作をしなくてもフリックの強さに応じた距離分はスクロール処理を行う（途中で端に達した場合は途中までしか行われない）。また、フリックによるスクロール処理が開始したら移動量をシステムメモリ５２に記録する。
【００５３】
Ｓ４０２では、システム制御部５０は、フリックの強さに応じた距離を、マルチ再生画面が移動したか否かを判定する。フリックの強さに応じた距離マルチ再生画面が移動したらスクロール処理は終了する。フリックの強さに応じた距離をマルチ再生画面が移動したと判定した場合は、Ｓ４０９へ進み、そうでない場合は、Ｓ４０３へ進む。
【００５４】
Ｓ４０３では、システム制御部５０は、マルチ再生画面の端が表示部２８に表示されたか否かを判定する。図６（ｅ）は、フリックによるスクロール処理中に表示部２８にマルチ再生画面６００の端が表示された（領域６０１）、端に突き当たった時の表示を示したものであり、マルチ再生画面６００の透過度はＴｎ＝１００％である。なお、マルチ再生画面の端が表示された後は、これ以上、先端画像のフリックした方向に応じた方向側に表示する画像がない（ファイル順で先端画像より先の画像がない）のでスクロールも停止する。本実施形態においてはスクロール処理の途中で、マルチ再生画面の端が表示部２８に表示されてしまった場合にはそれ以上スクロール処理はせず、端に達したことを示すアニメーション表示をする。端に達した場合に行うアニメーションの表示については後述する。マルチ再生画面の端が表示部２８に表示されたと判定した場合は、Ｓ４０４へ進み、そうでない場合は、Ｓ４０８へ進む。
【００５５】
Ｓ４０４〜Ｓ４０７の処理は、フリックによるスクロール処理の途中でマルチ再生画面の端が表示された際に、端に達したことをユーザに示すために、ガイド画像の透過度を徐々に減少させた後、再び増加させていく処理である。言い換えれば、端に達した後、ガイド画像を徐々に濃く表示することでユーザにこれ以上端には移動しないことを示した上で、ガイド画像を薄くしてもとの表示に戻す処理である。
【００５６】
Ｓ４０４では、システム制御部５０は、ガイド画像６０４の透過度Ｔｎを徐々に減少していく。透過度Ｔｎは例えば、０．２秒毎に１０％ずつ下げる、０．０３秒毎に１％ずつ下げていく。図６（ｆ）は、図６（ｅ）においてマルチ再生画面６００の端が表示された後、透過度Ｔｎを１００％から徐々に減少させている途中の様子を示したものであり、ガイド画像６０４の濃度が濃くなっている。また、バー６０５にはガイド画像は重畳していないので、透過度は変えない。このように、マルチ再生画面６００を移動させずに、端に達したことに応じてガイド画像の透過度Ｔｎを徐々に減少させていくことにより、ユーザは、これ以上マルチ再生画面は動かないが、フリックによる処理が無効になっているわけではないことがわかる。ただマルチ再生画面を移動させないだけでは、さらにスクロールできる（画像１より前のファイル順の画像がある）が、スクロールが停止したのか、フリック操作自体が無効となったのか、端に達したのかユーザが分からなくなる可能性もある。また端に達したらすぐに透過度の低い（透過度Ｔｎ＝２０％等）の画像を表示してしまうと、端に達したのではなく新たに何かが表示され始めたとユーザが認識してしまう可能性もある。そこで、ガイド画像の透過度を減少させ、徐々に濃くしていくことで、端に突き当たっており、これ以上はフリックを下方向に表示する画像がないことを知らせることができる。スクロール処理において徐々に表示領域が変更するのと、透過度が徐々に変わるのは、時間に応じて表示が徐々に変更するという点では同じであるので、ユーザが違和感なく端に達したことを認識できる可能性が高い。
【００５７】
Ｓ４０５では、システム制御部５０は、ガイド画像６０４透過度Ｔｎが最少の透過度になったか否かを判定する。最少の透過度とは、フリック処理における端到達時のアニメーションでガイド画像の透過度Ｔｎの最小値、つまり最も濃くなる時の透過度を示す。ガイド画像は最小の透過度まで一回減少した後に増加していく。最少の透過度は例えば、２０％や１０％といった値でも良いし、０以上の１００未満の値であればよい。もしくは、フリックの強さに応じた距離のうち、マルチ再生画面が実際に移動した距離の残りの距離に応じて最少透過度を変えてもよい。つまり、移動後に端に達さない場合のスクロール距離が距離αであるようなフリックの場合よりも、距離β（＞α）であるようなフリックの場合の方が、端に達した後透過度は小さくなる。端まで距離α未満の位置が表示されている場合にフリックをすると、距離β移動するようなフリックをした方が距離β―α分透過度が小さくなる。透過度Ｔｎが最少の透過度になったと判定した場合は、Ｓ４０６へ進み、そうでない場合は、Ｓ４０４に戻り最少透過度に達するまで透過度を減少させる。
【００５８】
Ｓ４０６では、システム制御部５０は、ガイド画像６０４の透過度Ｔｎを徐々に増加していく。透過度Ｔｎは例えば、０．２秒毎に１０％ずつ上げる、０．０３秒毎に１％ずつ上げていく。図６（ｇ）は、透過度Ｔｎが最小になった後、再び徐々に透過度Ｔｎが増加している途中の様子を示したものである。Ｓ４０４における透過度Ｔｎの減少とＳ４０６における透過度Ｔｎの増加は、同じスピードで進めるが、Ｓ４０６の徐々に増加していく方のスピードの方が早く進むようにしてもよい。
【００５９】
Ｓ４０７では、システム制御部５０は、ガイド画像６０４透過度Ｔｎ＝１００％に達したか否かを判定する。図６（ｈ）は、透過度Ｔｎが最小になった後、透過度Ｔｎ＝１００％になった際のマルチ再生画面６００を示したものである。つまり、フリックによるスクロール処理中に端に到達すると図６（ｅ）から（ｆ）に示すように透過度Ｔｎが一度減少した後、再び図６（ｇ）のように透過度Ｔｎが増加し、最終的には図６（ｈ）のように透過度Ｔｎは１００％に戻る。透過度Ｔｎ＝１００％に達したと判定した場合は、フリック処理を終了し、そうでない場合は、Ｓ４０６に戻り透過度Ｔｎ＝１００％になるまで透過度の増加を続ける。
【００６０】
Ｓ４０８では、システム制御部５０は、タッチパネル７０ａへのタッチダウン（タッチの開始）がされたか否かを判定する。タッチダウンがされたと判定した場合は、Ｓ４０９へ進み、そうでない場合は、Ｓ４０１に戻る。Ｓ４０３においてマルチ再生画面の端が表示部２８にまだ表示されていないと判定され（Ｓ４０３Ｎｏ）、Ｓ４０８に進んだ後タッチダウンがされると、スクロール処理を停止される。
【００６１】
Ｓ４０９では、システム制御部５０は、スクロール処理を停止する。Ｓ４０２においてＹｅｓと判定されてＳ４０９に進んだ場合には、スクロールする速度が徐々にゆっくりになっていって最終的に停止する。Ｓ４０８においてＹｅｓと判定され、Ｓ４０９に進んだ場合には、Ｓ４０８においてタッチダウンがされた際に表示部２８に表示されていたマルチ再生画面の領域を表示するようにする。
【００６２】
次に、図５を用いてタッチムーブ処理について説明をする。この処理は、不揮発性メモリ５６に記録されたプログラムをシステムメモリ５２に展開してシステム制御部５０が実行することで実現する。なお、この処理は、図３のＳ３１３に進むと開始する。
【００６３】
Ｓ５０１では、システム制御部５０は、端表現フラグがＯＮになっているか否かを判定する。端表現フラグは、タッチムーブ中にマルチ再生画面の端が表示されたことを示すフラグである。端表現フラグがＯＮの場合にはさらに端の方向へとタッチムーブをすると、スクロール処理はされず端であることをユーザに示すためにガイド画像を濃く表示していく。端表現フラグがＯＮであると判定した場合は、Ｓ５０２へ進み、そうでない場合は、Ｓ５１３へ進む。
【００６４】
Ｓ５０２〜Ｓ５１２は、タッチムーブ中にマルチ再生画面の端が表示され、端表現フラグがＯＮとなっている場合の処理である。さらに、Ｓ５０３〜Ｓ５０６は端に突き当たった後さらに端の方向へとタッチムーブがされた場合のガイド画像の透過度を下げる処理、Ｓ５０７〜Ｓ５０９は端に突き当たった後反対方向へとタッチムーブされた際にガイド画像の透過度を上げる処理を示している。また、Ｓ５１０〜Ｓ５１２は端が表示された後一旦反対方向へとスクロールしたが再び端の方向へとスクロールした際の処理を示している。ここでさらに端の方向へのタッチムーブとは、端が表示された時に行われていたタッチムーブの方向であり、反対方向へのタッチムーブとは端が表示された時のタッチムーブ方向とは反対方向へのタッチムーブを指す。
【００６５】
Ｓ５０２では、システム制御部５０は、現在表示されているマルチ再生画面の端からさらに端の方向に向けたタッチムーブ処理がされたか否かを判定する。または、Ｓ５１７からＳ５０２に進んできた場合には、後述するＳ５１７において記録されたＹ軸方向のタッチムーブ方向と同じＹ軸の方向へとタッチムーブがされたかを判定する。図７（ｂ）は図７（ａ）の領域７０１から下方向にスクロール処理がされて、領域７０２が表示された様子を示しており、このまま下方向へのスクロール指示がされるとＳ５０２の判定はＹｅｓとなる。先端画像が表示されている場合には、下方向（Ｙ軸プラス方向）へのタッチムーブ、末尾画像が表示されている場合には、上方向（Ｙ軸マイナス方向）へのタッチムーブがされたか否かを判定する。現在表示中のマルチ再生画面の端からさらに端の方向へとタッチムーブがされたと判定した場合はＳ５０３へ進み、そうでない場合、すなわち現在表示中のマルチ再生画面の端から反対方向への端に向けてタッチムーブがされたと判定した場合は、Ｓ５０７へ進む。
【００６６】
Ｓ５０３では、システム制御部５０は、マルチ再生画面の端が表示されているか否かを判定する。図７（ａ）の領域７０１は端が表示されていないのでＳ５０３の判定はＮｏとなり、図７（ｂ）の領域７０２においては先端画像である画像１があるので、Ｓ５０３の判定はＹｅｓとなる。端が表示されている（先頭画像、末尾画像が表示されている）と判定した場合は、Ｓ５０４へ進み、そうでない場合は、Ｓ５０７へ進む。
【００６７】
Ｓ５０４では、システム制御部５０は、ガイド画像６０４の透過度をＴｎ＝１００−α＊｜ｙｎ−Ｙａ｜にする。つまり、端に到達した時の透過度１００から、端に到達してからさらに端の方向へとユーザがタッチ位置を移動したＹ軸方向の距離（端方向へのタッチムーブ距離）と所定数αをかけた値をひく。基準座標Ｙａは、マルチ再生画面が端に突き当たった時にユーザの指ＵがタッチしていたＹ軸座標である。ｙｎは現在のタッチ位置のＹ軸座標である。基準座標Ｙａと現在のＹ軸座標の値とを比較し、端に到達してからユーザがさらに端の方向へとタッチムーブした距離に応じてガイド画像の濃度を濃くしていく。図７（ｃ）に示すようにタッチムーブがされても表示部２８に表示される領域は領域７０２のまま変わらないが、ガイド画像６０４の透過度Ｔｎが減少する。図７（ｄ）に示すように、図７（ｃ）よりもさらに下方向へのタッチムーブをすると透過度Ｔｎはさらに減少し、ガイド画像の濃度は高くなる。よって、図７（ｃ）の透過度＞図７（ｄ）の透過度となる。なお、αはタッチパネル７０ａのＹ軸方向の長さに応じて決めてもよいし、一定にしてもよい。Ｙ軸方向のタッチパネル７０ａが０≦ｙ≦Ａである場合に、タッチパネル７０ａのＹ軸の半分くらいをタッチムーブしたら透過度が１００から２０になるように設定すると、α＝２０％×（２／Ａ）となる。
【００６８】
Ｓ５０５では、システム制御部５０は、Ｓ５０４で取得されたＴｎを最低透過度Ｔｂとしてシステムメモリ５２に記録する。タッチムーブが反対方向へと行われた場合には最低透過度Ｔｂからタッチムーブの距離に応じて透過度を上げていくので、Ｓ５０５で記録した最低透過度Ｔｂを使用する。図７（ｄ）の時に下方向へのタッチムーブから上方向へのタッチムーブへと方向を切り替えた場合には、このときの最低透過度Ｔｂが後述するＳ５０９で使用される。
【００６９】
Ｓ５０６では、システム制御部５０は、現在のタッチ位置のＹ軸方向の座標ｙｎをＹｂとしてシステムメモリ５２に記録する。Ｓ５０５で上述したように最低透過度Ｔｂからタッチムーブの距離に応じて透過度を上げていく場合に、Ｔｂとその時のタッチ座標ｙｎを比較する。
【００７０】
Ｓ５０７では、システム制御部５０は、スクロール処理をする。図５のスクロール処理は、図３のＳ３１２で判定されたタッチ位置の移動に基づき、マルチ再生画像のうち表示部２８に表示される領域が移動する。タッチ位置の移動量と表示部２８上で移動するマルチ再生画像の領域の移動量（変更量）は同じとなる。つまり、指の移動（タッチ位置の移動）に追従して、マルチ再生画像が移動する。
【００７１】
Ｓ５０８では、システム制御部５０は、透過度Ｔｎ≠１００％であるか否かを判定する。すなわち、ガイド画像の透過度Ｔｎが１００％から下げられており、ガイド画像６０４が視認可能な状態であるか否かを判定する。図７（ｅ）は図７（ｄ）での下方向へのスクロール指示がされていた状態から上方向へのスクロール指示に切り替わった後の表示部２８の様子を示したものである。図７（ｅ）のように、端に突き当たった時のタッチムーブ方向とは反対方向の上方向へのタッチムーブがされた場合には、Ｓ５０２でＮｏと判定され、スクロール処理が行われ、領域７０３が表示されるようになる。よって、先端画像（画像１）が非表示になる。さらに、図７（ｄ）の時には透過度Ｔｎ≠１００であったので、反対方向へタッチムーブがされたら距離に応じて徐々に透過度Ｔｎを増加させていく。よって図７（ｄ）の透過度は、図７（ｅ）の透過度より小さい。透過度Ｔｎ≠１００％であると判定された場合は、Ｓ５０９へ進み、そうでない場合（透過度Ｔｎ＝１００）は、タッチムーブ処理を終了する。なお、さらにタッチムーブが継続された場合は、図３のＳ３１２で再びＹｅｓと判定され、繰り返し図５のタッチムーブ処理が行われる。
【００７２】
Ｓ５０９では、システム制御部５０は、ガイド画像の透過度Ｔｎ＝Ｔｂ＋β｜ｙｎ−Ｙｂ｜とする。つまり、Ｓ５０５において更新された最低透過度Ｔｂに、最低透過度Ｔｂになった時のタッチ位置からのＹ軸方向のタッチ位置の移動距離と所定数βをかけた値を足し、透過度Ｔｎを増加させる。このように、更新された最低透過度Ｔｂから、Ｙｂからのタッチムーブの距離に応じて透過度Ｔｎを増加していき、徐々にガイド画像６０４が薄くなっていくようにする。なお、Ｓ５０７においてはスクロール処理をしているので、Ｓ５０９においては、透過度Ｔｎ＜１００でガイド画像６０４が視認可能ではあるが、端の画像は表示されていない状態となる。急に透過度Ｔｎを１００％に戻してしまうと、今までユーザの見ていたガイド画像６０４が非表示になったように見え、今表示されている領域は端に近くない、もう一度タッチムーブすればさらに端の画像が表示されるのかとユーザが認識してしまう可能性がある。よって、端に突き当たった後であれば、少しずつ透過度Ｔｎを減少させていき、もう一度端の方向へとタッチムーブしてしまうと端に突き当たってしまうことをユーザに知らせる。一方で、端に近いからと言ってまだ端に突き当たっていない場合にも透過度Ｔｎを下げてしまうと、それを認識しているユーザにとってはガイド画像によって画像の視認性が低下する可能性があるので、透過度Ｔｎは変えないようにする。つまり、表示されている領域に応じて透過度Ｔｎが決まるわけではない。マルチ再生画面のうち表示されている領域が同じであっても端に突き当たった後の反対方向へのタッチムーブによって表示されたか、まだ端に突き当たらない状態で表示されたかに応じて透過度Ｔｎを減少させるのか、透過度Ｔｎ＝１００％のままかを変える。これにより視認性の低下を防ぎつつ、端に突き当たったことも通知することができる。
【００７３】
Ｓ５１０では、システム制御部５０は、透過度Ｔｎ＝１００％にする。Ｓ５１０は、Ｓ５０３においてＮｏと判定された場合の処理であるので、１周期以上前のタッチムーブ処理のＳ５０７におけるスクロール処理が行われ、端が表示されていない状態である。よって、Ｓ５０２においてさらに端の方向（端が表示されていないので、Ｓ５１７と同じ方向）へとタッチムーブがされたので、透過度Ｔｎを１００％に戻し、画像の視認性が向上するようにする。
【００７４】
Ｓ５１１では、システム制御部５０は、スクロール処理を行う。この処理はＳ５０７と同様である。
【００７５】
Ｓ５１２では、システム制御部５０は、端表現フラグをＯＦＦにし、システムメモリ５２に記録する。ここで、端表現フラグがＯＦＦになるが、再び端に突き当たれば端表現フラグはＯＮになる。
【００７６】
Ｓ５１３では、システム制御部５０は、スクロール処理を行う。この処理はＳ５０７と同様である。
【００７７】
Ｓ５１４では、システム制御部５０は、表示部２８にマルチ再生画面の端が表示されたか否かを判定する。Ｓ５１３におけるスクロール処理によってマルチ再生画面の端が表示されたと判定された場合には、Ｓ５１５へ進み、そうでない場合は、タッチムーブ処理を終了する。
【００７８】
Ｓ５１５では、システム制御部５０は、Ｙａ＝ｙｎとしてシステムメモリ５２に記録する。Ｙａは、端に突き当たった時のタッチパネル７０ａ上のＹ軸のタッチ位置座標を示す。
【００７９】
Ｓ５１６では、システム制御部５０は、端表現フラグをＯＮにし、システムメモリ５２に記録する。
【００８０】
Ｓ５１７では、システム制御部５０は、Ｓ５１６において端に突き当たった時にタッチムーブしていた方向をシステムメモリ５２に記録する。ここで、記録されたタッチムーブの方向は、Ｓ５０２における判定において使用される。
【００８１】
以上、説明した実施形態によれば、ユーザから指示された方向への表示領域の移動がこれ以上できないことをより明確にユーザに知らせることができる。画像が端に突き当たった後、さらに端へと移動する処理がされた時にスクロールする画像自体は動かないので、スクロール処理はこれ以上できないことがわかる。さらに、ガイド画像の透過度を徐々に減少していくようにするので、ユーザの行ったスクロール指示（ボタン、ダイヤル、フリック、タッチムーブ）は入力されていることが分かる。また、透過度を徐々に減少するのではなく、突然透過度を０％等の低い値にしてしまうと、ユーザは新たな表示がされる処理が開始されたのかと認識してしまう可能性もある。ユーザが端に突き当たったことに気付かずにどんどんスクロール指示をするほど、ガイド画像は濃くなっていくので、ユーザが端に突き当たっていることに気付いているにも関わらずガイド画像によって画像の視認性が低下することがない。すなわち、画像の視認性が低下することを防ぎつつも、ユーザに端に突き当たったことを通知することができる。
【００８２】
なお、本実施形態においては、先頭画像と末尾画像が表示された状態でさらに端へと移動する指示をすると、他方の端を表示する（Ｓ３０６）ものとして説明をしたが、一方の端から他方の端へと遷移しないようにしてもよい。つまり、端に突き当たったらいつでもさらに端へと移動する指示がされても、それ以上は移動せず、ガイド画像の透過度を減少させていくようにしてもよい。
【００８３】
また、マルチ再生画面は外部出力で表示部２８とは異なる外部の機器へ出力可能だが、外部出力している時にはガイド画像は表示しない。
【００８４】
さらに、上述した実施形態においては表示対象としてマルチ再生画面の表示中にガイド画像の透過度を変えて表示するものとしたが、マルチ再生でない画面のスクロール再生にも適用可能である。スクロール再生は左右方向（Ｘ軸方向）へのタッチムーブ、フリック、左右キー７４ｃ、ｄの押下、ダイヤル７３の回転によってスクロール指示可能である。また、画像の拡大表示時やシングル再生時、メニュー画面（項目の一覧表示）、アイコンの一覧表示、地図、テキスト、地図やテキスト等が混合している文書、表等でもよい。
【００８５】
また、記録媒体２００に記録されている画像でなくても、ウェブページや画像閲覧アプリ、メール一覧表示画面、等のダウンロードしながら表示をするようなものでも本実施形態は有効である。表示する画像の端は先頭と末尾とで２つあるものとして説明をしたが、先頭のみでもよいし、末尾のみでもよい。
【００８６】
［変形例］
図８を用いて、本実施形態の変形例について説明する。
【００８７】
ガイド画像は図６（ｄ）に示したものに限らず、図８（ａ）に示すようにガイド画像内の色の濃さを同じにしてもよい。または、ガイド画像内で色を変えたり、図８（ｃ）に示すように模様の密度を変えたりしてもよい。また、マルチ再生画像の端が表示された状態でさらに端方向に表示領域を移動する指示がされたら、ガイド画像を表示せず、図８（ｂ）のように端の画像（画像１０２）は動かさず今まで表示されていなかった反対方向の画像（画像５７〜６８）を表示してもよい。端からさらに端方向へとスクロール処理する指示をした場合に、実際にものを引っ張りすぎて切れてしまい縮んでしまうような表現をすることができる。
【００８８】
なお、上述した各実施形態ではガイド画像の透過度を変更することでマルチ再生画像を暗くすることを説明したが、スクロール対象を暗くする方法が透過度の変更に限らない。すなわち、表示部２８の輝度を暗くしたり、画像の表示の濃度を濃くしていくようにしてもよい。
【００８９】
なお、システム制御部５０が行うものとして説明した上述の各種の制御は１つのハードウェアが行ってもよいし、複数のハードウェアが処理を分担することで、装置全体の制御を行ってもよい。
【００９０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９１】
また、上述した実施形態においては、本発明をデジタルカメラ１００に適用した場合を例にして説明したが、これはこの例に限定されず、スクロール処理をする指示に応じて表示対象のスクロール処理の制御ができる表示制御装置であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、表示部を有する家電装置等に適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【００９２】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018032075.tif 000003
【図２】
2018032075.tif 000004
【図３】
2018032075.tif 000005
【図４】
2018032075.tif 000006
【図５】
2018032075.tif 000007
【図６】
2018032075.tif 000008
【図７】
2018032075.tif 000009
【図８】
2018032075.tif 000010